(57)【要約】【課  題】  一株が２５０ｍｌ前後となる数個のＤ型溝を有した栽培用トレイにより、従来の半分以下の培地によるトマトの養液栽培ができ、設備費用の大幅なコストダウンと、日々の給液費用の削減を図ることができる、トマトの養液栽培方法とその装置を提供する。【解決手段】  Ｄ字形栽培用トレイを使用する栽培方法として、例として、そのＤ字形溝１０の上端部の大きさは直径７５ｍｍ前後の半円状で、底部は直径が４０ｍｍ前後の半円状を成し、深さは８０ｍｍ前後のトレイ１を用い、各溝１０に、２５０ｍｌ前後の培地を入れる。前記トレイ１の前記２列の溝１０の境界上には、散水チューブ２がトレイ１の長手方向に配置される。散水チューブ２の給液口が、２列に配列されたＤ字形の溝１０の中心部に位置され、養液が２列のＤ字形の開口１００から各培地に流下する。【選択図】        図２
2007306849.tif 000002
【特許請求の範囲】
【請求項１】
水平断面形状が略Ｄ字形に形成される溝を長手方向に２列に配列してなる栽培用トレイの前記各溝に、２５０ｍｌ前後の培地を入れ、トマトの苗を植付けた各培地に養液を供給することを特徴とするトマトの栽培方法。
【請求項２】
前記２列の溝の境界上に、且つ、前記トレイの長手方向に配置された散水チューブから養液を供給することを特徴とする請求項１に記載のトマトの栽培方法。
【請求項３】
予め栽培用トレイをその長手方向に、必要な長さに応じた数を並べることにより、栽培面積の調整を可能とすることを特徴とする請求項１に記載のトマトの栽培方法。
【請求項４】
平面部と、この平面部の長手方向に２列に配列され、且つ、水平断面形状が略Ｄ字形に形成された複数個の溝及び前記平面部の四周に形成された起立縁とから構成される栽培用トレイと、前記各溝に入れられた２５０ｍｌ前後の培地と、前記２列の溝の境界上に、且つ、前記トレイの長手方向に配置された散水チューブとからなるトマト栽培装置。
【発明の詳細な説明】
【技術分野】
【０００１】
本発明は、農業分野でのトマトの栽培方法とその装置に関するものである。
【背景技術】
【０００２】
トマトの栽培方法には、温床に苗を仕立ててこれを露地に植え付ける土耕から、植物工場的な生産が可能な水耕まであり、例えば水耕として養液栽培方法が提案されている。
この養液栽培方法として、静岡県農業試験場研究報告第３８号（平成６年２月）では、トマトの高設栽培方法の「根域を制限した循環式養液栽培装置による高糖度トマト生産」が開示され、また、実願平７−１１０４では「不織布形成鉢による養液栽培装置」が開示されている（特許文献１）。
いずれの方法も、筒型の鉢やポットを利用して、ロックウールの粒状面又は、バーミキュライト等を培地とし、その培地量は６００ｍｌ前後とされ、点滴チューブによる給液方法でのトマトの栽培方法である。
【０００３】
上記特許文献１によると、培地作りが能率化され、さらに培養液が滞留することなく排除され強制排水装置が不要になり、装置の簡素化が図れるとある。
即ち、その要約に「成形された不織布有底鉢（ポット）２にロックウール粒状綿１を詰めて倍地３とすることで、倍地作りが能率化され、不織布の網目全体から高濃度培養液が滞留することなく排液されるため、強制排水装置が不要になり、装置が簡畧化される。」旨が記載されている。
【特許文献１】実用新案登録３０１８４８９
【発明の開示】
【発明が解決しようとする課題】
【０００４】
しかし、特許文献１等は、作業の能率化や装置のコストダウンを目的としているが、あまり普及していない。
また、これらの従来方式によるトマトの栽培方法では、その培地量は６００ｍｌ前後が適量とされ、それ以下での培地量での栽培は、生育の可能性が低いとの判断がなされていた。又、品質の点からも不適とされていた。
【０００５】
そこで、本発明では、発明者がこのような通念に挑戦し、これを覆すような成果をあげたことに基づき、そのトマトの栽培方法とその装置を提供することを目的とする。
【課題を解決するための手段】
【０００６】
前記課題を解決するため、本発明は、水平断面形状が略Ｄ字形に形成される溝を長手方向に２列に配列してなる栽培用トレイの前記各溝に、２５０ｍｌ前後の培地を入れ、トマトの苗を植付けた各培地に養液を供給することを特徴とするトマトの栽培方法である。
【０００７】
上記栽培方法によれば、品質も収穫量も問題なく、従来の半分以下の培地でもトマトの生育を行うことができ、培地となる材料費も半分以下にすることができる。
さらに、半分以下の培地量にすることにより、培地表面からの養液の蒸散も半分以下に抑えることができ、養液費用の削減もできる。
【０００８】
また、Ｄ字形の数個の溝を有した栽培トレイを使用するこの方法は、従来の筒形の鉢やポットの培地と比較して、そのＤ字形の溝が培地となるので、日々の作業時に、栽培するトマトの茎や葉が多少動いても、培地全体が回ることが無く、根の部分にストレスを与えることがない。
【０００９】
水平断面形状が、略Ｄ字形に形成される溝を長手方向に２列に配列してなる栽培用トレイの２列の溝の境界上に、平面部の長手方向に配列された散水チューブから養液を供給することを特徴とする、栽培用トレイと散水チューブを組合せた本発明のトマトの栽培方法。
【００１０】
上記栽培方法によれば、従来の点滴チューブは不要となり、日々の点滴チューブの液詰まり等の点検管理費用のコストダウンができると共に、大幅な設備費用の削減ができる。
【００１１】
予め栽培用トレイをその長手方向に、必要な長さに応じた数を並べることにより、栽培面積の調整を可能とするトマトの栽培方法。
【００１２】
上記発明において、栽培用トレイをその長手方向に、必要な長さに応じた数を並べることによる、栽培面積の調整を可能とするトマトの栽培方法は、季節ごとのトマトの消費量や受注生産に対応できるため、むだな生産や、費用を削減できる。
【００１３】
本発明の、平面部と、この平面部の長手方向に２列に配列され、且つ、水平断面形状が略Ｄ字形に形成された複数個の溝及び、平面部の四周に形成された起立縁とから構成される栽培用トレイと、前記各溝に入れられた２５０ｍｌ前後の培地と、前記２列の溝の境界上に、且つ、前記トレイの長手方向に配置された散水チューブとからなるトマト栽培装置。
【００１４】
上記栽培装置によれば、上記栽培方法と同様の作用効果を得ることができる。
【発明の効果】
【００１５】
培地量が２５０ｍｌ前後での栽培方法と栽培装置は、従来の培地量の半分以下であり、設備費用の大幅な削減をと共に、培地の増設ができる。そして、１株のトマトの品質や収穫量は低下することはない。
【発明を実施するための最良の形態】
【００１６】
上記発明の実施形態を図面に基づいて詳細に説明する。
図１はトマト栽培に使用する栽培用トレイの斜視図、図２は同栽培用トレイと散水チューブを組合せる栽培装置の斜視図、図３は同装置の断面図である。
【００１７】
実施形態に係わる栽培方法は、図１に示すように、栽培トレイ１の長手方向Ｘに平行して２列に配列されたＤ字形溝１０が複数個に形成された栽培用トレイ１を用い、前記各Ｄ字形溝１０の１個の培地量１１が２５０ｍｌ前後となる前記トレイ１を使用する栽培方法である。
【００１８】
準備する具体的な前記栽培用トレイ１は、平面部１２と、この平面部１２から下方に形成され、且つ、水平断面形状が略Ｄ字形に形成されると共に、トレイ１の長手方向Ｘに２列に配列してなる前記溝１０及び前記平面部１２の四周に形成された起立縁１３とから構成される。
【００１９】
前記溝１０は、前記平面部１２に形成された略Ｄ字形の開口１００と、このＤ字形のサイズを縮小させた略Ｄ字形の底面１０１と、開口１００及び底面１０１間の壁面１０２と、前記底面１０１に設けられた排水口１０３から構成されている。
これらの溝１０は、２つの略Ｄ字形のＤ字の縦辺１０４が略直線上に配置され、またＤ字の横辺１０５が隣接するように、トレイ１の長手方向Ｘに２列に配列されている。
このように形成される溝１０の個数は１０個であるが、この数に限定されるものではない。
【００２０】
前記起立縁１３は、給液される養液が栽培用トレイ１の外へ漏れることを防止するものである。
【００２１】
前記溝１０のより具体的な構成は、例として、そのＤ字形溝１０の開口１００の大きさは直径７５ｍｍ前後の半円状で、底面１０１は直径が４０ｍｍ前後の半円状を成し、中心部に前記排水口１０３が設けられ、深さは８０ｍｍ前後である。
そして、この栽培用トレイ１は、長方形を成し、サイズは、幅が２００ｍｍで長さが６００ｍｍ程度で、材質は合成樹脂等により一体成型されたものである。また、トレイ１の周囲の起立縁１３の高さは、１０ｍｍ程度である。
【００２２】
上記のように構成される栽培用トレイ１は、図２及び図３に示すように、栽培用トレイ１の長手方向Ｘに平行して、トレイの幅側の起立縁１３の下で支えるように棚パイプ３が取付けられ、その棚パイプ３は一定の間隔もって支柱パイプ４で支持される。そして、その支持パイプ４はスペーサ５により、トレイ１の幅を保つと同時に補強される。さらに、支持パイプ４の下部には、円形で鍔状の沈下防止具６が取付けられる。
【００２３】
前記棚パイプ３を利用して、Ｄ字形溝栽培用トレイ１下部に排水受けシート７が設けられる。この排水受けシート７は、ビニールシート等を使用し、固定は棚パイプ３に留具８等で固定される。そして、図示は省略するが、この排水受けシート７の端部には排水管が取付けられ、貯槽タンクへ導かれ再利用される。
【００２４】
上記栽培装置は、図２のように予め栽培用トレイ１をその長手方向に、必要な長さに応じた数を並べることにより、栽培面積を調整することもできる。
【００２５】
このように構成された栽培装置の前記各溝１０に培地量１１が２５０ｍｌの培地が入れられ、トマトの苗木が植付けられる。培地としては、例えばロックウール等の粒状面が用いられる。
【００２６】
そして、各溝１０の各培地に養液を供給するため、前記栽培用トレイ１と散水チューブ２が組合わされる。
【００２７】
ここで使用する散水チューブ２は農業用散水チューブであり、内部に養液の圧力が加わったときの外径が３５ｍｍ程度のものを選定する。
かかる散水チューブ２は、前記２列の溝１０の境界上に、且つ、前記トレイ１の長手方向に配置される。
そして、散水チューブ２の給液口２０が、２列に配列されたＤ字形の溝１０の中心部に位置され、養液が２列のＤ字形の開口１００から各培地に流下するようになっている。なお上述のように、前記トレイ１の起立縁１３により養液が栽培用トレイ１の外へ漏れることが防止される。
【００２８】
以上のような栽培方法及び栽培装置によれば、従来の筒形の鉢やポットの培地を用いる場合に比べ、培地のコストを低く抑えることができると共に、養液の供給の労力も軽減させることができ、しかも１株のトマトの品質や収穫量は低下することはない。
【図面の簡単な説明】
【００２９】
【図１】栽培トレイの斜視図、
【図２】栽培トレイと散水チューブを組合せる栽培装置の斜視図、
【図３】同断面図である。
【符号の説明】
【００３０】
１  栽培トレイ                            １０  Ｄ字形溝
１１  培地量                              １２  平面部
１３  起立縁                              １００  Ｄ字形の開口
１０１  Ｄ字形の底面                      １０２  壁面
１０３  排水口                            １０４  Ｄ字の縦辺
１０５  Ｄ字の横辺                        Ｘ  長手方向
３  棚パイプ                              ４  支柱パイプ
５  スペーサ                              ６  沈下防止具
７  排水受けシート                        ８  留具
２  散水チューブ                          ２０  給液口
【図１】
2007306849.tif 000003
【図２】
2007306849.tif 000004
【図３】
2007306849.tif 000005